(57)【要約】【課題】落下時等の衝撃で筐体に隙間が発生するのを防止する。【解決手段】電子機器１の筐体２は、第１筐体構成部３の周壁部と第２筐体構成部４の周壁部を突き合せて、これら周壁部を筐体取付基板２１上に重ね合わてネジ１２で締結することにより構成される。記第１、第２筐体構成部３，４には、突き合せ部分に臨んでネジ挿入孔１３を設け、筐体取付基板２１には、ネジ挿入孔１３に連らなる雌ネジ孔２４を設け、第１筐体構成部３と筐体取付基板２１には、第１筐体構成部３を筐体取付基板上に重ね合わせたときに互いに嵌まり合って第１筐体構成部を筐体取付基板上に位置決めする凹凸状の第１筐体構成部位置決め部１３を設け、第２筐体構成部４と筐体取付基板２１には、第２筐体構成部を筐体取付基板上に重ね合わせたときに互いに嵌まり合って第２筐体構成部を筐体取付基板上に位置決めする第２筐体構成部位置決め部を設けた。【選択図】図６
2008053647.tif 000002
【特許請求の範囲】
【請求項１】
筐体を構成する第１筐体構成部の端部と第２筐体構成部の端部を突き合せて筐体取付基板上に重ね合わせるとともに、これら端部を突き合せた上記第１、第２筐体構成部の端部を上記筐体取付基板上にネジで締結することにより構成される電子機器の筐体であって、
上記第１、第２筐体構成部は、突き合せ部分に臨んで上記ネジを挿入するネジ挿入孔を備え、上記筐体取付基板は、上記ネジ挿入孔を通して上記ネジを螺合する雌ネジ孔を備え、上記第１筐体構成部と上記筐体取付基板は、上記第１筐体構成部を上記筐体取付基板上に重ね合わせたときに互いに嵌まり合って上記第１筐体構成部を上記筐体取付基板上に位置決めする第１筐体構成部位置決め部を備え、上記第２筐体構成部と上記筐体取付基板は、上記第２筐体構成部を上記筐体取付基板上に重ね合わせたときに互いに嵌まり合って上記第２筐体構成部を上記筐体取付基板上に位置決めする第２筐体構成部位置決め部を、を備えていることを特徴とする電子機器の筐体。
【請求項２】
上記第１筐体構成部位置決め部は、上記第１筐体構成部に設けられた第１凸部と、上記筐体取付基板に設けられていて上記第１凸部が嵌合する第１凹部と、で構成され、上記第２筐体構成部位置決め部は、上記第２筐体構成部に設けられた第２凸部と、上記筐体取付基板に設けられていて上記第２凸部が嵌合する第２凹部と、で構成されていることを特徴とする請求項１に記載の電子機器の筐体。
【請求項３】
上記第１筐体構成部位置決め部は、上記第１筐体構成部に設けられた第１凹部と、上記筐体取付基板に設けられていて上記第１凹部に嵌合する第１凸部と、で構成され、上記第２筐体構成部位置決め部は、上記第２筐体構成部に設けられた第２凹部と、上記筐体取付基板に設けられていて上記第２凹部に嵌合する第２凸部と、で構成されていることを特徴とする請求項１に記載の電子機器の筐体。
【請求項４】
上記第１筐体構成部位置決め部と上記第２筐体構成部位置決め部は、上記雌ネジ孔を中心にして略点対称位置に配置されていることを特徴とする請求項１に記載の電子機器の筐体。
【請求項５】
上記第１筐体構成部位置決め部と上記第２筐体構成部位置決め部は、上記第１筐体構成部の端部と第２筐体構成部の端部の突き合せ部分を中心にして略線対称位置に配置されていることを特徴とする請求項１に記載の電子機器の筐体。
【請求項６】
上記第１，第２筐体構成部に設けられた第１，第２凹部は、上記第１、第２筐体構成部の底面に突出形成された筐体脚部で構成されていることを特徴とする請求項３に記載の電子機器の筐体。
【請求項７】
筐体を構成する第１筐体構成部の端部と第２筐体構成部の端部を突き合せて筐体取付基板上に重ね合わせるとともに、これら端部を突き合せて上記第１、第２筐体構成部の端部を上記筐体取付基板上にネジで締結することにより筐体を構成した電子機器において、
上記第１、第２筐体構成部は、突き合せ部分に臨んで上記ネジを挿入するネジ挿入孔を備え、上記筐体取付基板は、上記ネジ挿入孔を通して上記ネジを螺合する雌ネジ孔を備え、上記第１筐体構成部と上記筐体取付基板は、上記第１筐体構成部を上記筐体取付基板上に重ね合わせたときに互いに嵌まり合って上記第１筐体構成部を上記筐体取付基板上に位置決めする第１筐体構成部位置決め部を備え、上記第２筐体構成部と上記筐体取付基板は、上記第２筐体構成部を上記筐体取付基板上に重ね合わせたときに互いに嵌まり合って上記第２筐体構成部を上記筐体取付基板上に位置決めする第２筐体構成部位置決め部を備えていることを特徴とする電子機器。
【発明の詳細な説明】
【技術分野】
【０００１】
本発明は、電子機器の筐体および該筐体を使用した電子機器に関するものである。
【背景技術】
【０００２】
図２０に示すように、電子機器の筐体、例えばデジタルスチルカメラ等の電子機器１０１の筐体１０２として、フロント側の筐体構成部（以下、フロント側筐体と称する）１０３とリア側の筐体構成部（以下、リア側筐体と称する）１０４を結合することにより形成したものが知られている。
【０００３】
フロント側筐体１０３とリア側筐体１０４の結合構造として、主に以下の３つのものが知られている。
【０００４】
第１の結合構造は、図２１に示すように、フロント側筐体１０３の周壁部１０３ａとリア側筐体１０４の周壁部１０４ａの端部を突き合せて、これら周壁部１０３ａ，周壁部１０４ａを、筐体１０２内に収納される内部部品を組み付けているシャーシ等に設けた筐体取付基板１０５上に重ね合わせ、フロント側筐体１０３に設けた第１のネジ挿入孔（非ネジ孔）１０６に第１のネジ１０７を挿入し、該第１のネジ１０７を筐体取付基板１０５に設けた第１の雌ネジ孔１０８に螺合して、フロント側筐体１０３を筐体取付基板１０５に締結すると共に、リア側筐体１０４に設けた第２のネジ挿入孔（非ネジ孔）１０９に第２のネジ１１０を挿入し、該第２のネジ１１０を筐体取付基板１０５に設けた第２の雌ネジ孔１１１に螺合して、リア側筐体１０４を筐体取付基板１０５に締結する。
【０００５】
第２の結合構造は、図２２に示すように、筐体取付基板１０５をフロント側筐体１０３に溶接１１２によって取付けることにより、上記第１の結合構造の第１のネジ１０７を削減している。
【０００６】
また、第３の結合構造は、図２３に示すように、フロント側筐体１０３の周壁部１０３ａと、リア側筐体１０４の周壁部１０４ａの一部を重ね合わせた状態（オーバーラップさせた状態）にして、一本のネジ１１３でフロント側筐体１０３の周壁部１０３ａとリア側筐体１０４の周壁部１０４ａを共締めする。
【０００７】
なお、カメラの筐体の結合構造ではないがカメラの筐体にレンズ鏡筒を取付ける構造としては、ネジと位置決め用の凹，凸部を使用する方法が開発されている。（例えば、特許文献１参照）。
【特許文献１】特開平７−２１３９５３号公報
【発明の開示】
【発明が解決しようとする課題】
【０００８】
ところで、上記第１の結合構造は、フロント側筐体１０３の周壁部１０３ａとリア側筐体１０４の周壁部１０４ａを夫々、筐体取付基板１０５に第１，第２のネジ１０７，１１０で締結するため、２本のネジの座面面積が必要となり、カメラの小型薄型化にとって不利なものになる。
【０００９】
上記第２の結合構造は、フロント側筐体１０３を筐体取付基板１０５に溶接１１２したので、リア側筐体１０４のみを第１のネジ１１０で締結すれば良いので、上記２本のネジを使用する場合に比べてネジの座面面積を小さくすることができ、カメラの小型薄型化にとって有利であるが、溶接のためのコストが高くなり、溶接強度にもバラツキが発生し易いという問題がある。
【００１０】
上記第３の結合構造は、フロント側筐体１０３の周壁部１０３ａとリア側筐体１０４の周壁部１０４ａを重ね合わせた状態にして共締めするので、１本のネジ１１３で結合することが出来るという利点がある反面、フロント側筐体１０３の周壁部１０３ａとリア側筐体１０４の周壁部１０４ａを重ね合わせた部分が厚くなり、そのぶん筐体内の部品収容スペースが減少してしまうという問題があった。
【００１１】
更に、上記第１〜第３の結合構造は、カメラを誤って落とすなどして筐体１０２に衝撃等の強い外力が加わった場合に、フロント側筐体１０３の周壁部１０３ａとリア側筐体１０４の周壁部１０４ａの突き合せ部分の隙間δが拡大してしまうという共通の問題点があった。何故ならば、フロント側筐体１０３に設けたネジ挿入孔１０６等の位置と、筐体取付基板１０５に設けた雌ネジ孔１０８等の位置のズレ（誤差）によって、雌ネジ孔１０８等にネジを螺合できなくなるのを回避する方法として、ネジ挿入孔１０６等の径を雌メジ１０８等のネジ径に対してより大きくする方法が広く採用されているが、この場合に、筐体を落とすなどして、筐体に強い衝撃が加わった場合に、ネジ孔径とネジ径の差の分だけネジが移動するからである。
【００１２】
本発明の目的は、上記従来の第１〜第３の結合構造の各問題点を解決すると共に、し、落下時等における隙間の拡大という第１〜第３の結合構造に共通の問題点を解決した電子機器の筐体を提供することにある。
【課題を解決するための手段】
【００１３】
本発明は、筐体を構成する第１筐体構成部の端部と第２筐体構成部の端部を突き合せて筐体取付基板上に重ね合わせるとともに、これら端部を突き合せて上記第１、第２筐体構成部の端部を上記筐体取付基板上にネジで締結することにより構成される電子機器の筐体であって、
上記第１、第２筐体構成部に、上記突き合せ部分に臨んで上記ネジを挿入するネジ挿入孔を設け、上記筐体取付基板に、上記ネジ挿入孔を通して上記ネジを螺合する雌ネジ孔を設け、上記第１筐体構成部と上記筐体取付基板に、上記第１筐体構成部を上記筐体取付基板上に重ね合わせたときに互いに嵌まり合って上記第１筐体構成部を上記筐体取付基板上に位置決めする凹凸状の第１筐体構成部位置決め部を設け、上記第２筐体構成部と上記筐体取付基板に、上記第２筐体構成部を上記筐体取付基板上に重ね合わせたときに互いに嵌まり合って上記第２筐体構成部を上記筐体取付基板上に位置決めする第２筐体構成部位置決め部を設けた。
【００１４】
上記第１筐体構成部を上記筐体取付基板上に重ね合わせると、これら第１筐体構成部と筐体取付基板の重なり合う面に設けた凹凸状の上記第１筐体構成部位置決め部が嵌り合って第１筐体構成部の位置決めがなされる。また、上記第２筐体構成部を上記筐体取付基板上に重ね合わせると、これら第２筐体構成部と筐体取付基板の重なり合う面に設けた凹凸状の上記第２筐体構成部位置決め部が嵌り合って第２筐体構成部の位置決めがなされて、上記第１筐体構成部の端部と上記第２筐体構成部の端部が突き合された状態になる。そして、上記第１筐体構成部の端部と第２筐体構成部の端部の突き合せ部分に臨んで設けたネジ挿入孔からネジを挿入して、該ネジを上記筐体取付基板に設けた雌ネジ孔に螺合して締め付けると、上記ネジの頭部で上記第１、第２筐体構成部が上記筐体取付基板上に押し付けられて固定される。
【発明の効果】
【００１５】
上記第１、第２筐体構成部は、上記ネジの頭部で上記筐体取付基板上に押し付けられて、上記第１、第２筐体構成部が、上記筐体取付基板から浮き上がるのを阻止される。従って、互いに嵌り合っている凹凸状の位置決め部の嵌合が外れるのを確実に防止することができる。また、上記筐体構成部に設けたネジ挿入孔の位置と、上記筐体取付基板に設けた雌ネジ孔の位置のズレ（誤差）によって、ネジを雌ネジ孔に螺合できなくなる危険性を回避するために、ネジ挿入孔の径を雌メジのネジ径に対してより大きくした場合においも、上記第１筐体構成部と上記第２筐体構成部は、上記第１筐体構成部位置決め部と上記第１筐体構成部位置決め部とによって位置決めが成されるので、例え落下等によって強い衝撃が加わった場合でも上記第１筐体構成部と第２筐体構成部の突き合せ部の隙間が広がるのを防止することができる。
【発明を実施するための最良の形態】
【００１６】
図１〜図１４は、第１実施形態を示す。この実施形態において、電子機器は、カード型のデジタルスチルカメラ（以下、単にカメラと称する）として構成されている。図１はカメラ１を正面側から見た斜視図、図２はカメラ１を背面側から見た斜視図、図３は図２はカメラ１を底面側から見た斜視図、図４はカメラ１の底面図、図５は分解斜視図である。
【００１７】
図１〜図４に示すように、上記カメラ１の筐体２は、第１，第２の筐体構成部（以下、第１の筐体構成部をフロント側筐体構成部と称し、第２の筐体構成部をリア側筐体構成部と称する）３，４を結合することにより形成されている。
【００１８】
図５に示すように、フロント側筐体構成部３は、矩形状の主面部３ａと、該主面部３ａの周縁に設けられた周壁部３ｂと、を備えている。上記主面部３ａにはレンズ鏡筒５と、該レンズ鏡筒５を覆うバリア（カバー）６が上下方向にスライド可能に取付けられている。また、リア側筐体構成部４は、フロント側筐体構成部３と同様に矩形状の主面部４ａと、該主面部４ａの周縁に設けられた周壁部４ｂと、を備えている。上記主面部４ａには次に説明するシャーシの一側面に取付けられた液晶や有機ＥＬ等の表示部が臨む透明の表示窓７が設けられていると共に、上記表示窓７の側方にはスイッチ基板８が配置されている。図２に示すように、筐体２の背面や上面および側面には各種の操作ボタン９ａ，９ｂ，９ｃ等が配置されている。
【００１９】
図４に示すように、上記筐体２の底面を構成するフロント側筐体構成部３の周壁部３ｂとリア側筐体構成部４の周壁部４ｂの突き合せ部（以下、パーティングライン部と称する）１１は、フロント側筐体構成部３の主面３ａよりもリア側筐体構成部４の主面４ａ寄りの位置において該主面４ａに対して略平行に伸びる第１パーティングライン部１１ａと、第１のパーティングライン１１ａの一端部から略４５°の傾斜角度をもってリア側筐体構成部４の主面４ａ側に伸びる第２パーティングライン部１１ｂと、第２パーティングライン部１１ｂの一端部からリア側筐体構成部４の主面４ａに対して略平行に伸びる第３パーティングライン部１１ｃと、からなっている。
【００２０】
図６に拡大して示すように、第２パーティングライン部１１ｂには、フロント側筐体構成部３の周壁部３ｂとリア側筐体構成部４の周壁部４ｂを上記筐体取付基板２１に締結するためのネジ１２を挿入するネジ挿入孔（非ネジ孔）１３が設けられている。上記ネジ挿入孔１３は、フロント側筐体構成部３の周壁部３ｂに略半円形の孔１３ａを設け、リア側筐体構成部４の周壁部４ｂに略半円形の孔１３ａを設け、これら孔１３ａ，１３ｂを突き合せることにより形成されている。
【００２１】
また、フロント側筐体構成部３の周壁部３ｂとリア側筐体構成部４の周壁部４ｂには、上記ネジ挿入孔１３を中心にして点対称位置に第１，第２の位置決め部１４，１５が設けられている。上記第１の位置決め部１４は、フロント側筐体構成部３の位置決めを行い、上記第２の位置決め部１５は、リア側筐体構成部４の位置決めを行う。
【００２２】
図７に示すように、第１の位置決め部１４は、フロント側筐体構成部３の周壁部３ｂに設けられた第１凸部１６と、該第１凸部１６を嵌合するべく筐体取付基板２１に設けられた第１凹部１７と、で構成され、第２の位置決め部１５は、リア側筐体構成部４の周壁部４ｂに設けられた第２凸部１８と、該第２凸部１８を嵌合するべく筐体取付基板２１に設けられた第２凹部１９と、で構成されている。
【００２３】
上記第１凸部１６は、フロント側筐体構成部３の周壁部３ｂの外面側を凹ませて内面側を突出させることにより円形のボス状に形成され、上記第１凹部１７は、筐体取付基板２１を円形に打抜くことにより丸孔状に形成されている。同様に、上記第２凸部１７は、フロント側筐体構成部４の周壁部４ｂの外面側を凹ませて内面側を突出させることにより円形のボス状に形成され、上記第２凹部１９は、筐体取付基板２１を円形に打抜くことにより丸孔状に形成されている。
【００２４】
上記筐体取付基板２１は、フロント側筐体構成部３の周壁部３ｂとリア側筐体構成部４の周壁部４ｂを内面側から支持して両者を結合するものであり、筐体２内に収納される内部シャーシブロック部２２のシャーシ２３（図５参照）の一部として形成されている。
【００２５】
図７に示すように、上記筐体取付基板２１には、上記第１，第２凹部１７，１９の他にフロント側筐体構成部３の周壁部３ｂとリア側筐体構成部４の周壁部４ｂのパーティングライン１１に臨んで上記ネジ１２を螺合する雌ネジ孔２４が設けられている。
【００２６】
なお、図５に示すように、上記シャーシ２３には、上記フロント側筐体構成部３が被せられるフロント側の主面に、撮像レンズ３１、ＡＦイルミネータ３２、フラッシュ装置３３、コンデンサ３４、バッテリー収納部３５、メモリーカード収納部３６、メイン基板３７等が配置されていると共に、リア側筐体構成部４が被せられるリア側の主面に、図示を省略した液晶や有機ＥＬ等の表示部やレンズユニット等が配置されている。
【００２７】
次に、筐体２の組立てについて説明する。先ず、図８に示すように、上記内部シャーシブロック部２２のフロント側にフロント側筐体構成部３を被せ、リア側にリア側筐体構成部４を被せて、これらフロント側筐体構成部３とリア側筐体構成部４の間で内部シャーシブロック部２２を挟む。
【００２８】
そして、図７に示すように、フロント側筐体構成部３の周壁部３ｂとリア側筐体構成部４の周壁部４ｂを、上記筐体取付基板２１上に重ね合わせ、フロント側筐体構成部３の周壁部３ｂに設けた第１凸部１６を筐体取付基板２１に設けた第１凹部１７に嵌合してフロント側筐体構成部３の位置決めを行うと共に、リア側筐体構成部４の周壁部４ｂに設けた第２凸部１８を筐体取付基板２１に設けた第２凹部１９に嵌合してリア側筐体構成部４の位置決めを行う。これによって、フロント側筐体構成部３の周壁部３ｂの端部とリア側筐体構成部４の周壁部４ｂの端部が突き合された状態になると共に、フロント側筐体構成部３に設けた半円形の孔１３ａとリア側筐体構成部４に設けた半円形の孔１３ｂとによって円形状のネジ挿入孔１３が形成される。上記ネジ挿入孔１３の略真下に上記筐体取付基板２１に設けた雌ネジ孔２４が位置している。
【００２９】
次に、図９に示すように、上記ネジ１２の先端部をネジ挿入孔１３に差し込んで雌ネジ孔２４に螺合して締め付ければ、ネジ１２の頭部１２ａの下面でフロント側筐体構成部３とリア側筐体構成部４の両方を同時に押して、上記筐体取付基板２１に押し付けて、これらフロント側筐体構成部３とリア側筐体構成部４を上記筐体取付基板２１上に固定する。
【００３０】
上記実施例においては、図６に示すように、上記パーティングライン部１１の一部に傾斜状の第２パーティングライン部１１ｂを形成し、該第２パーティングライン部１１ｂを、上記ネジ１２および第１，第２の位置決め部１４，１５とで固定する場合を示したが、他の部分を、上記ネジ１２と、第１，第２の位置決め部１４，１５とで固定してもよい。また、図１０に示すように、パーティングライン部１１をフロント側筐体構成部３の主面３ａとリア側筐体構成部４の主面４ａの中間位置に一直線状に配置し、該パーティングライン部１１に対して略直交する方向に第１，第２の位置決め部１４，１５を配置してもよい。また、図１１に示すように、上記ネジ挿入孔１３の中心位置をフロント側筐体構成部３にオフセット（偏心）させてもよい。但し、オフセット量は上記ネジ１２でフロント側筐体構成部３とリア側筐体構成部４の両方を上記筐体取付基板２１に押し付けるのに支障を来さない範囲内であることが望ましい。
【００３１】
また、図１２に示すように、上記凸部１６，１８の先端面１６ａ，１８ａの外周部をアール面１６ｂ，１８ｂ或いは角取による傾斜面に形成することにより上記突起１６，１８を凹部１７，１９に挿入し易くしても良い。また、図１３に示すように、上記凸部１６，１８の外周面と、凹部１７，１９の内周面を、先端側に行くに従って径が小さくなる錐形状のテーパー面に形成し、上記凸部１６，１８を凹部１７，１９に挿入し易くすると共に、上記凸部１６，１８を凹部１７，１９に嵌合することにより自動的にセンタリングを行うようにしてもよい。
【００３２】
上記実施例においては、図７に示すように、フロント側筐体構成部３とリア側筐体構成部４に凸部１６，１８として突起を設け、筐体取付基板２１に凹部１７，１９として突起嵌合孔を設けた場合を示したが、これとは逆に図１４に示すように、フロント側筐体構成部３とリア側筐体構成部４に、凹部１７，１９として突起嵌合孔を設け、筐体取付基板２１に凸部１６，１８として突起を設けてもよい。このように、フロント側筐体構成部３とリア側筐体構成部４に凹部１７，１９として突起嵌合孔を設けると、これら突起嵌合孔を通してフロント側筐体構成部３およびリア側筐体構成部４の外側から凸部１６，１８の位置等を視認できるので、凸部１６，１８を凹部１７，１９に挿入する作業が容易になると共に、凸部１６，１８が凹部１７，１９として突起嵌合孔に挿入されているか否かをフロント側筐体構成部３およびリア側筐体構成部４の外側から容易に確認することができる。
【００３３】
図１５、図１６は第２実施形態を示す。この実施形態においては、筐体２の底面２ａの長手方向の一端部と他端部にそれぞれ設けられている対状の脚部４１，４２を上記第１，第２の位置決め部１４，１５の第１，第２凹部１７，１９として使用した場合を示す。
【００３４】
図１６に示すように、上記脚部４１は、上記筐体２の底面２ａを構成するフロント側筐体構成部３の周壁部３ｂの内面側を凹ませ、外面側を突出させることにより形成され、上記脚部４２は、リア側筐体構成部４の周壁部４ｂの内面側を凹ませ、外面側を突出させることにより形成されている。そして、上記脚部４１と脚部４２の内側の凹み部分４１ａ，４２ａには、筐体取付基板２１に設けた第１，第２凸部１６，１８が嵌合されてフロント側筐体構成部３とリア側筐体構成部４のリア側筐体構成部４の位置決めがなされると共に、ネジ１２によってフロント側筐体構成部３とリア側筐体構成部４が筐体取付基板２１上に締め付け固定される。他の構成は、第１実施形態の場合と同じであるので重複する説明は省略する。
【００３５】
上記第２実施形態においては、筐体２の底面に設けた脚部４１，４２を第１，第２の位置決め部１４，１５の凹部１７，１９として使用するので、第１実施形態のように凹部１７，１９をわざわざ別に形成する必要性がなくなるという効果がある。
【００３６】
図１７〜図１９は第３実施形態を示す。この実施形態においては、図１７，図１８に示すように、第１の位置決め部１４と第２の位置決め部１５は、ネジ１２を中心にした半円形状に形成されている。図１９に示すように、第１の位置決め部１４は、上記フロント側筐体構成部３の周壁部３ｂに設けられた半円形状の第１凸部４１と、上記筐体取付基板２１に設けられた円形状の凹部４２と、からなっている。また、第２の位置決め部１５は、上記フロント側筐体構成部４の周壁部４ｂに設けられた半円形状の第２凸部４３と、上記筐体取付基板２１に設けられた上記円形状の凹部４２と、からなっている。
【００３７】
上記第１凸部４１と第２凸部４３は、上記フロント側筐体構成部４の周壁部４ｂとリア側筐体構成部４の周壁部４ｂの端部を突き合せたときに略円形になる。また、上記凹部４２は、雌ネジ孔２４を中心にして、上記第１凸部４１と第２凸部４３を突き合せた円形よりもやや大径に形成されている。
【００３８】
そして、図１９に示すように、上記第１凸部４１と第２凸部４３を上記凹部４２に挿入し、ネジ１２でフロント側筐体構成部３の周壁部３ｂとリア側筐体構成部４の周壁部４ｂを筐体取付基板２１に押し付けて固定する。他の構成は、第１実施形態と略同じであるので重複する説明は省略する。
【００３９】
第３実施形態においては、ネジ１２の外側に、該ネジ１２を囲むように円形状に第１，第２の位置決め部１４，１５を配置したので、これら第１，第２の位置決め部１４，１５の存在を目立たないものにすることができる。
【００４０】
なお、上記各実施の形態においては、電子機器としてカメラを例にとって説明したが、本発明の電子機器は、デジタルカメラ等の撮像装置のほか、例えば、携帯電話機、携帯型のゲーム機等の電子機器に広く適用される。
【図面の簡単な説明】
【００４１】
【図１】第１実施形態のカメラを正面側から見た斜視図。
【図２】第１実施形態のカメラを背面側から見た斜視図。
【図３】第１実施形態のカメラを底面側から見た斜視図。
【図４】第１実施形態のカメラの底面図。
【図５】第１実施形態のカメラの分解斜視図。
【図６】要部の拡大斜視図。
【図７】図６のＡ−Ａ断面図。
【図８】第１，第２筐体構成部で内部シャーシ部を挟んだ状態の断面図。
【図９】ネジで第１，第２筐体構成部を締結した状態の断面図。
【図１０】他の実施例の説明図。
【図１１】他の実施例の説明図。
【図１２】他の実施例の断面図。
【図１３】他の実施例の断面図。
【図１４】他の実施例の断面図。
【図１５】第２実施形態のカメラの斜視図。
【図１６】図１５のＡ−Ａ断面図。
【図１７】第３実施形態のカメラの要部の斜視図。
【図１８】第３実施形態のカメラの要部の分解斜視図。
【図１９】第３実施形態のカメラの要部の断面図。
【図２０】従来例を示す斜視図。
【図２１】図２０のＡ−Ａ断面図。
【図２２】他の従来例の断面図。
【図２３】他の従来例の断面図。
【符号の説明】
【００４２】
１…電子機器（デジタルスチルカメラ）、２…筐体、３…第１筐体構成部（フロント側筐体構成部）、３ａ…周壁部、４…第２筐体構成部（リア側筐体構成部）、４ａ…周壁部、１１…パーティングライン、１２…ネジ、１３…ネジ挿入孔、１４…第１の位置決め部、１５…第２の位置決め部、１６…第１凸部、１７…第１凹部、１８…第２凸部、１９…第２凹部、２１…筐体取付基板、２４…雌ネジ孔。
【図１】
2008053647.tif 000003
【図２】
2008053647.tif 000004
【図３】
2008053647.tif 000005
【図４】
2008053647.tif 000006
【図５】
2008053647.tif 000007
【図６】
2008053647.tif 000008
【図７】
2008053647.tif 000009
【図８】
2008053647.tif 000010
【図９】
2008053647.tif 000011
【図１０】
2008053647.tif 000012
【図１１】
2008053647.tif 000013
【図１２】
2008053647.tif 000014
【図１３】
2008053647.tif 000015
【図１４】
2008053647.tif 000016
【図１５】
2008053647.tif 000017
【図１６】
2008053647.tif 000018
【図１７】
2008053647.tif 000019
【図１８】
2008053647.tif 000020
【図１９】
2008053647.tif 000021
【図２０】
2008053647.tif 000022
【図２１】
2008053647.tif 000023
【図２２】
2008053647.tif 000024
【図２３】
2008053647.tif 000025